(57)【特許請求の範囲】
【請求項１】
車両室内の適宜位置に取り付けられると共に反射面が所定の方向へ向いた反射鏡を保持するミラー本体と、
前記ミラー本体から所定の初期照明方向を照明可能で且つ前記ミラー本体に対して変位可能に前記ミラー本体に設けられ、前記ミラー本体に対する変位状態では前記初期照明方向とは異なる方向の照明が可能な照明手段と、
を備えるルームミラー。
【請求項２】
内部に光源を収容すると共に前記ミラー本体に対して前記ミラー本体の内外へ変位自在に設けられ、前記光源に対して前記初期照明方向側で開口した第１開口部が形成されると共に、前記初期照明方向とは異なる方向へ向けて開口し前記ミラー本体内への変位状態で前記ミラー本体の内側に位置し、前記ミラー本体外への変位状態で前記初期照明方向とは異なる方向へ前記光源の光を透過する第２開口部が形成されたランプハウスを含めて前記照明手段を構成したことを特徴とする請求項１記載のルームミラー。
【請求項３】
前記ミラー本体内へ収納可能に前記照明手段を前記ミラー本体に保持させると共に、前記ミラー本体への収納状態で前記照明手段の光を前記初期照明方向へ透過する透過部を前記ミラー本体に設けたことを特徴とする請求項１又は請求項２記載のルームミラー。
【請求項４】
車両室内の適宜位置に取り付けられたハウジングと、
前記ハウジングから所定の初期照明方向を照明可能で且つ前記ハウジングに対して変位可能に前記ハウジングに設けられ、前記ハウジングに対する変位状態では前記初期照明方向とは異なる方向の照明が可能な照明手段と、
を備える室内灯。
【発明の詳細な説明】
【０００１】
【発明の属する技術分野】
本発明は、車両室内に取り付けられるルームミラー及びルームランプやマップランプ等の車両用の室内灯に関する。
【０００２】
【従来の技術】
通常、車両の運転席と助手席との間の上方には、マップランプと称されるライトが設けられており、例えば、夜間に車両室内で地図を確認する場合等においてこのマップランプを照明として用いることができるようになっている。
【０００３】
一方、マップランプは車両のルーフパネルに取り付けられる場合が多いが、必要時以外はルーフを取り外すようなオープンカー等においてはルーフにマップランプを取り付けることができないため、ウインドシールドガラス（フロントガラス）の上端縁近傍にマップランプが取り付けられることが多く、特に、このマップランプを後方確認用のルームミラーと一体にすることが多い。
【０００４】
【発明が解決しようとする課題】
ところで、これまでのマップランプは車両のルーフパネルやウインドシールドガラスの縁に固定しているうえ、照明方向が車両下方側のみで一定である。この車両室内において地図を確認するためにこのようなマップランプを使用する場合には、マップランプの下方まで地図を移動させなければならない。同様に地図以外のものや使用者（乗員）自身を照明する場合においてもマップランプの下方等、照明が届く位置まで移動しなければならない。
【０００５】
一方で、車両室内の居住環境の向上に伴い車両室内における更なる利便性の向上が要求されており、上述したマップランプも単なる車両下方側のみならず多目的に使用できるような要求があった。
【０００６】
本発明は、上記事実を考慮して、車両下方以外の方向への照明が可能な室内灯及びこのような室内灯を備えた車両用のルームミラーを得ることを目的としている。
【０００７】
【課題を解決するための手段】
請求項１記載のルームミラーは、車両室内の適宜位置に取り付けられると共に反射面が所定の方向へ向いた反射鏡を保持するミラー本体と、前記ミラー本体から所定の初期照明方向を照明可能で且つ前記ミラー本体に対して変位可能に前記ミラー本体に設けられ、前記ミラー本体に対する変位状態では前記初期照明方向とは異なる方向の照明が可能な照明手段と、を備えている。
【０００８】
上記構成のルームミラーによれば、車両室内の適宜位置には反射鏡が固定されたミラー本体が取り付けられており、このミラー本体に設けられた反射鏡を見ることで所定方向側、例えば、反射鏡の反射面が略車両後方側へ向けられていれば略車両後方側を確認できる。
【０００９】
また、このミラー本体には照明手段が設けられており、この照明手段を発光させることで所定の初期照明方向が照明される。
【００１０】
一方、照明手段はミラー本体に対して変位可能とされており、ミラー本体に対して照明手段を変位させることで照明手段の照明方向が上記の初期照明方向とは異なる方向に変更される。
【００１１】
このように、本ルームミラーは初期照明方向のみならず、照明手段をミラー本体に対して変位させることで初期照明方向とは異なる方向を照明することができるため、照明手段の利便性ひいてはルームミラーの利便性が向上する。
【００１２】
なお、本発明においてミラー本体に対する照明手段の変位は如何なる態様であってもよく、ミラー本体に対するスライド移動でもよいし、所定位置を中心とした回動でもよい。
【００１３】
請求項２記載のルームミラーは、請求項１記載の本発明において、内部に光源を収容すると共に前記ミラー本体に対して前記ミラー本体の内外へ変位自在に設けられ、前記光源に対して前記初期照明方向側で開口した第１開口部が形成されると共に、前記初期照明方向とは異なる方向へ向けて開口し前記ミラー本体内への変位状態で前記ミラー本体の内側に位置し、前記ミラー本体外への変位状態で前記初期照明方向とは異なる方向へ前記光源の光を透過する第２開口部が形成されたランプハウスを含めて前記照明手段を構成したことを特徴としている。
【００１４】
上記構成の車両用ルームミラーによれば、照明手段を構成するランプハウスには第１開口部並びに第２開口部が形成されており、このうち、第１開口部はランプハウスがミラー本体内側へ変位した状態（すなわち、ランプハウスがミラー本体内に収容された状態）でミラー本体の透過部と対向するため、ランプハウスがミラー本体内に変位した状態でランプハウス内の光源が発光すると、第１開口部を介してミラー本体外へ光が透過し、ミラー本体外の初期照明方向側が照らされる。
【００１５】
一方、ランプハウスには第２開口部が形成されているが、ランプハウスがミラー本体内側へ変位した状態では第２開口部がミラー本体内に位置しているため、第２開口部を介して光源の光がミラー本体の外部へ透過されることはないが、ランプハウスがミラー本体外へ変位すると、第２開口部を介して光源の光がミラー本体外の初期照明方向とは異なる方向へ透過される。
【００１６】
なお、本発明においてミラー本体に対するランプハウスの変位は如何なる態様であってもよく、ミラー本体に対するスライド移動でもよいし、所定位置を中心とした回動でもよい。
【００１７】
請求項３記載のルームミラーは、請求項１又は請求項２記載の本発明において、前記ミラー本体内へ収納可能に前記照明手段を前記ミラー本体に保持させると共に、前記ミラー本体への収納状態で前記照明手段の光を前記初期照明方向へ透過する透過部を前記ミラー本体に設けたことを特徴としている。
【００１８】
上記構成の車両用ルームミラーによれば、照明手段はミラー本体内へ収納可能に保持されており、この収納状態で照明手段から発せられた光はミラー本体に設けられた透過部を介してミラー本体の外部へ透過する。
【００１９】
ここで、透過部は照明手段の光を初期照明方向へ透過するため、照明手段がミラー本体内へ収納された状態では初期照明方向とは異なる方向が照らされることはない。したがって、不用意に初期照明方向以外の方向を照明手段が照らすことを制限できる。
【００２０】
請求項４記載の室内灯は、車両室内の適宜位置に取り付けられたハウジングと、前記ハウジングから所定の初期照明方向を照明可能で且つ前記ハウジングに対して変位可能に前記ハウジングに設けられ、前記ハウジングに対する変位状態では前記初期照明方向とは異なる方向の照明が可能な照明手段と、を備えている。
【００２１】
上記構成の室内灯によれば、車両室内の適宜位置に取り付けられたハウジングには照明手段が設けられており、この照明手段を発光させることで所定の初期照明方向が照明される。
【００２２】
一方、照明手段はハウジングに対して変位可能とされており、ハウジングに対して照明手段を変位させることで照明手段の照明方向が上記の初期照明方向とは異なる方向に変更される。
【００２３】
このように、本室内灯は初期照明方向のみならず、照明手段をハウジングに対して変位させることで初期照明方向とは異なる方向を照明することができるため、室内灯の利便性が向上する。
【００２４】
なお、本発明においてハウジングに対する照明手段の変位は如何なる態様であってもよく、ハウジングに対するスライド移動でもよいし、所定位置を中心とした回動でもよい。
【００２５】
【発明の実施の形態】
＜第１の実施の形態の構成＞
図１には本発明の第１の実施の形態に係るルームミラー１０（室内灯）の外観の斜視図が示されている。この図に示されるように、ルームミラー１０はミラー本体１２（ハウジング）を備えている。
【００２６】
ミラー本体１２は、例えば、略車両左右方向が長手方向で且つ略車両上下方向が幅方向とされた板状の正面壁１４を備えている。この正面壁１４には外周部に沿って周壁１６が形成されており、全体的には略車両後方側へ向けて開口した浅底の箱状若しくは皿状とされている。また、この正面壁１４の略車両前方側には反射鏡１８が配置されている。反射鏡１８は外周形状が周壁１６の内周形状に対応した板状に形成されている。反射鏡１８は反射面が略車両前方側へ向けられた状態で周壁１６の内側に嵌め込まれて正面壁１４及び周壁１６の少なくとも何れか一方へ固定されている。
【００２７】
また、図１に示されるように、この正面壁１４の略車両前方側には背面壁２０が設けられていると共に、正面壁１４と背面壁２０との間には周壁２２が設けられている。図２及び図３に示されるように、周壁２２は略車両左右方向に互いに対向した一対の側壁２４（図２及び図３では一方の側壁２４のみを図示している）を備えている。これらの側壁２４の間隔は上述した正面壁１４並びに背面壁２０の長手方向寸法よりも充分に短く、一方の側壁２４と他方の側壁２４との間の中央部と正面壁１４並びに背面壁２０の長手方向中央部とが略一致するように周壁２２が配置される。
【００２８】
さらに、一対の側壁２４の略車両上方側端部は上壁２６により連結されていると共に略車両下方側端部は下壁２８により連結されており、これにより、周壁２２が略車両前後方向に開口した筒状となっている。
【００２９】
上壁２６の上面と下壁２８の下面の形状は上述した正面壁１４と背面壁２０の外周部に対応しており、周壁２２の略車両後方側の開口端は正面壁１４へ一体に連結され、周壁２２の略車両前方側の開口端は背面壁２０へ一体に連結されている。
【００３０】
また、上壁２６にはステー３４が設けられている。ステー３４と上壁２６の何れか一方に球状のシャフトが形成されており、何れか他方にはこの球状のシャフトを回動可能に保持する保持部が形成され、この球状のシャフトと保持部とによってミラー本体１２とステー３４とが機械的に連結されている。さらに、ステー３４は車両のルーフやフロントガラス（ウインドシールドガラス）の保持枠（何れも図示省略）に一体的に固定されている。上述したように、この球状のシャフトと保持部とによってミラー本体１２とステー３４とが機械的に連結されているため、ミラー本体１２は車両のルーフやフロントガラスに対して球状のシャフト周りに所定量回動可能であり、回動させることで反射鏡１８の反射面の向きを変更できるようになっている。
【００３１】
一方、図１に示されるように、上述した周壁２２の側方で且つ正面壁１４と背面壁２０の間の空間は収容部３０とされており、その内側（すなわち、周壁２２の側方で且つ正面壁１４と背面壁２０の間）には照明手段を構成するランプハウス３６が配置されている。
【００３２】
このランプハウス３６は収容部３０への収容状態でミラー本体１２の正面壁１４と直接対向する正面壁３８を備えている。この正面壁３８の外周形状は、ランプハウス３６側の周壁２２の側壁２４よりもミラー本体１２の長手方向端部側での正面壁１４の外周形状に対応しており、ランプハウス３６を収容部３０へ収容した状態では正面壁１４と正面壁３８とが重なり合う。
【００３３】
また、この正面壁３８の背面壁２０側には背面壁４０が設けられている。この背面壁４０の外周形状は、ランプハウス３６側の周壁２２の側壁２４よりもミラー本体１２の長手方向端部側での背面壁２０の外周形状に対応しており、ランプハウス３６を収容部３０へ収容した状態では背面壁２０と背面壁４０とが重なり合う。
【００３４】
さらに、これらの正面壁３８と背面壁４０とは筒状の周壁４２により一体的に連結されており、ランプハウス３６全体としては略箱形状とされている。このランプハウス３６を構成する周壁４２のうち、上側に位置する上壁４４は幅寸法が正面壁１４と背面壁２０との間隔と略同じ（厳密には僅かに小さい）である。これに対して、周壁４２の下壁４６は幅寸法が上壁４４よりも充分に小さい。
【００３５】
また、図１に示されるように、このランプハウス３６の正面壁３８には第２開口部としての略矩形の開口部４８が形成されている。この開口部４８は、ランプハウス３６を収容部３０へ収容した状態では正面壁１４の裏面側に位置する。さらに、この開口部４８には透明若しくは半透明の合成樹脂材等によって矩形の板状に形成された窓部５０が一体的に嵌め込まれている。
【００３６】
一方、ランプハウス３６の周壁４２を構成する下壁４６には第２開口部としての略矩形の開口部５２が形成されており、更に、この開口部５２には透明若しくは半透明の合成樹脂材等によって矩形の板状に形成された窓部５４が一体的に嵌め込まれている。
【００３７】
また、図２乃至図５に示されるように、ランプハウス３６の内側には保持壁５６が設けられている。この保持壁５６はランプハウス３６を構成する正面壁３８、背面壁４０、及び周壁４２の少なくとも何れか１つと一体的に連結されている。この保持壁５６の厚さ方向一方の側には光源として照明手段を構成する電球５８が配置されており、保持壁５６に保持されたソケット６０に一体的で且つ着脱可能に取り付けられている。
【００３８】
また、保持壁５６を介して電球５８とは反対側にはリード線６２が配置されている。リード線６２はその長手方向一方の端部がソケット６０へ電気的且つ機械的に接続されている。これに対し、リード線６２の長手方向他端側は、周壁４２に形成された透孔６４及び周壁４２と直接対向する周壁２２の側壁２４に形成された略車両上下方向に長手とされた長孔６６を貫通してミラー本体１２の内側に引き回されている。
【００３９】
一方、図１に示されるように、周壁２２の下壁２８にはスイッチ６８が設けられている。このスイッチ６８は上方側へ押圧することでスイッチ６８を構成する電気接点（図示省略）が導通し、また、断線する構成となっており、ミラー本体１２の内部で上述したリード線６２の長手方向他方の端部が電気的且つ機械的に接続されている。
【００４０】
また、リード線６２はこのスイッチ６８を介して図示しない別のリード線に接続されており、更に、この別のリード線並びに他の電気的接続手段や電気回路構成部品を介して車両のバッテリー（符号無きものは何れも図示省略）へ電気的に接続されている。したがって、スイッチ６８を導通状態とすることにより電球５８に給電されて電球５８が発光する。
【００４１】
上述したように、ランプハウス３６には窓部５０、５４が嵌め込まれた開口部４８、５２が形成されているため、電球５８にて発せられた光は開口部４８、５２の窓部５０、５４を透過する。但し、上述したように収容部３０にランプハウス３６が収容された状態では開口部４８が正面壁１４の裏面側に位置するため、基本的には窓部５０を透過した光がランプハウス３６の外部に漏れることはない。
【００４２】
また、図４及び図５に示されるように、正面壁１４の背面には開口部７０が形成されており、この開口部７０の内周部からは保持片７２が延出されている。保持片７２は開口部７０の内周部との連結部分から中間部までは正面壁１４の背面よりも背面壁２０側へ突出し、更に、中間部にて正面壁１４側へ屈曲されており、全体的には断面「く」字状形状に屈曲している。この保持片７２は弾性を有しており基端部（すなわち、開口部７０の内周部との連結部分）を中心にして回動変形可能とされ、開口部７０の内側へ向けて回動することで中間部の屈曲部分が開口部７０の内側へ入り込む。
【００４３】
この開口部７０並びに保持片７２は正面壁１４の長手方向両側にそれぞれ設けられたランプハウス３６の各々に対応して形成されており、保持片７２がランプハウス３６の上壁４４に係合することでランプハウス３６の略全体が正面壁１４と背面壁２０との間に位置した状態で保持している。
【００４４】
なお、本実施の形態では、保持片７２がランプハウス３６の上壁４４に係合することでランプハウス３６を保持する構成であるが、この自らの弾性力で保持片がランプハウス３６の正面壁３８を押圧し、保持片７２と背面壁２０とでランプハウス３６を挟持する構成であってもよい。
【００４５】
一方、正面壁１４の長手方向両端側の下側にはストッパ７６が形成されている。ストッパ７６は正面壁１４の下側一部を厚肉とすることにより形成されており、このストッパ７６が形成された部分では正面壁１４の背面が背面壁２０側へ凸の断差を形成している。また、背面壁２０の長手方向両端側の下側にはストッパ７８が形成されている。ストッパ７８は背面壁２０の下側一部を厚肉とすることにより形成されており、このストッパ７８が形成された部分では背面壁２０の正面壁１４側の面が正面壁１４側へ凸の断差を形成している。
【００４６】
上述したように、ランプハウス３６の上壁２６の幅寸法は正面壁１４と背面壁２０との間隔と略同じであるため、ストッパ７６とストッパ７８との間隔よりも大きい。したがって、図５に示されるように、上壁２６が上方からストッパ７６、７８に係合することでミラー本体１２に対するランプハウス３６の抜け落ちが防止される。
【００４７】
＜第１の実施の形態の作用、効果＞
次に本実施の形態の作用並びに効果について説明する。
【００４８】
本ルームミラー１０では、反射鏡１８を用いて略車両後方側の確認ができるのみならず、スイッチ６８を操作して電球５８に給電して電球５８を点灯させることにより所謂マップランプとして使用することができる。すなわち、本ルームミラー１０においてランプハウス３６は、通常、収容部３０内に位置している。この状態でスイッチ６８を操作して電球５８を点灯させると、電球５８から発せられた光は開口部５２の窓部５４を透過して本実施の形態における初期照明方向である略車両下方側を照らす。この状態では、所謂マップランプと同様に使用することが可能である。
【００４９】
ここで、この状態でも電球５８から発せられた光は開口部４８の窓部５０を透過するが、開口部４８を介して電球５８とは反対側にはミラー本体１２の正面壁１４が位置しているため、基本的には光がミラー本体１２の外部に漏れることはない。したがって、この状態では基本的にランプハウス３６の略車両下方側のみを電球５８の光で照らすことができる。
【００５０】
一方、例えば、ランプハウス３６の上壁４４を上方から押圧すると、この押圧力で保持片７２が弾性変形しながら開口部７０の内側へ向けて回動し、保持片７２によるランプハウス３６の保持状態が解除される。この状態から更に上壁２６を下方へ押圧すると、ミラー本体１２の下方でランプハウス３６の下側部分から外部に露出する。なお、このランプハウス３６の下降時にはランプハウス３６内でソケット６０に接続されているリード線６２はランプハウス３６と共に下降するが、周壁２２の側壁２４に形成された長孔６６は略車両上下方向、すなわち、ランプハウス３６のスライド方向に長手とされているため、透孔６４を貫通してランプハウス３６の外部に引き出されたリード線６２の長手方向他端側はランプハウス３６の周壁４２によって断線させられることなく円滑に下降する。
【００５１】
このランプハウス３６の下降状態では、窓部５０と正面壁１４とが対向しなくなり、更にこの状態で電球５８を点灯させると電球５８で発せられた光が窓部５４のみならず窓部５０を透過する。窓部５０が嵌め込まれた開口部４８と窓部５４が嵌め込まれた開口部５２とではその開口（貫通）方向が異なるため、窓部５０を透過した光は略車両後方側を照らすことができる。
【００５２】
さらに、上述したように、ミラー本体１２はルーフパネルやフロントガラスの窓枠に対して回動可能であり、反射鏡１８の反射面の向きを適宜に変更できる。したがって、このミラー本体１２に取り付けられたランプハウス３６の向きもミラー本体１２を回動させることで適宜に変更でき、これに応じて窓部５０を透過する光の向きもミラー本体１２を回動させることで適宜に変更できる。これにより、ミラー本体１２を適宜に回動させることで所望の方向を照らすことも可能となり、電球５８にて発せられた光の用途を拡大できる（すなわち、利便性が向上する）。
【００５３】
＜第２の実施の形態の構成＞
次に、本発明のその他の実施の形態について説明する。なお、以下の各実施の形態を説明するにあたり、前記第１の実施の形態を含めて説明している実施の形態よりも前出の実施の形態と基本的に同一の部位については、同一の符号を付与してその説明を省略する。
【００５４】
図６には本発明の第２の実施の形態に係るルームミラー１００（室内灯）の外観の斜視図が示されている。この図に示されるように、ルームミラー１００はミラー本体１０２（ハウジング）を備えている。
【００５５】
ミラー本体１０２は前記第１の実施の形態におけるミラー本体１２と同様に正面壁１４と背面壁２０を備えており、この正面壁１４と背面壁２０との間には周壁１０４が設けられている。周壁１０４は前記第１の実施の形態における周壁２２とは異なり、上壁１０６が正面壁１４及び背面壁２０の外周部に沿って正面壁１４及び背面壁２０の長手方向両端部まで延び、更に、上壁１０６の長手方向両端側では正面壁１４及び背面壁２０に沿って正面壁１４及び背面壁２０の車両上下方向中間部まで湾曲している。
【００５６】
また、図７及び図８に示されるように、正面壁１４と背面壁２０との間には上壁１０６と共に周壁１０４を構成する隔壁１０８が設けられている。図７及び図８では正面壁１４及び背面壁２０の長手方向一端側の隔壁１０８のみが図示されているが、隔壁１０８は正面壁１４及び背面壁２０の長手方向両端側にそれぞれ設けられている。隔壁１０８は正面壁１４及び背面壁２０の略車両上下方向中間部にて一方の端部が上壁１０６の長手方向一方の端部へ接続されており、上壁１０６との接続部分から正面壁１４及び背面壁２０の長手方向他端側へ向けて延びている。さらに、この隔壁１０８の他端側では略車両下方側へ向けて屈曲若しくは湾曲されており、他端部にて上壁１０６及び隔壁１０８と共に周壁１０４を構成する下壁２８の長手方向一端部へ接続されている。
【００５７】
このように、本実施の形態では上壁１０６と下壁２８とを上記の隔壁１０８にて接続した構成としたことで、正面壁１４と背面壁２０との間で且つ隔壁１０８の外側にはミラー本体１０２の長手方向外側及び下方にて開口した空間が形成される。この空間は収容部１１０とされ、各収容部１１０には照明手段を構成するランプハウス１１２が収容される。なお、以下、ランプハウス１１２に関して説明するが、ランプハウス１１２を収容部１１０に収容した状態を基準として説明する。
【００５８】
図６乃至図８に示されるように、ランプハウス１１２は周壁１１４を備えており、この周壁１１４は下壁１１６を備えている。下壁１１６は、その一端が上壁１０６の長手方向一端部に近接していると共に他端が下壁２８の長手方向一端に近接しており、中間部は正面壁１４及び背面壁２０の略車両上下方向中間部よりも下側で且つ長手方向端部側での外周形状に沿って湾曲している。この下壁１１６の上側には下壁１１６と共に周壁１０４を構成する上壁１１８が設けられている。上壁１１８はその両端で下壁１１６の両端に接続されており、これにより、周壁１０４が筒状となっている。
【００５９】
図７に示されるように、上壁１１８の一端（すなわち、下壁１１６の一端部との連結部分）は一定の曲率で湾曲した湾曲部１２０とされており、この湾曲部１２０の下壁１１６との連結部分とは反対側は、ランプハウス１１２を収容部１１０へ収容した状態で正面壁１４及び背面壁２０の長手方向中央側へ向けて隔壁１０８に対して平行に延びた鉤状板部１２２となっている。
【００６０】
さらに、鉤状板部１２２の湾曲部１２０とは反対側は、隔壁１０８の屈曲部分よりも正面壁１４及び背面壁２０の長手方向他端側にて下方へ屈曲している。この鉤状板部１２２の他端部は湾曲部１２４の一端部に接続されており、この湾曲部１２４の他端部が下壁１１６の他端部へ接続されている。
【００６１】
湾曲部１２４は一端側から中間部までの間が隔壁１０８の屈曲部分よりも正面壁１４及び背面壁２０の長手方向他端側の部分と平行な平板状であるが、中間部よりも他端側は、上壁１１８を介して隔壁１０８とは反対側の所定位置を曲率中心として一定の曲率で円弧状に湾曲している。
【００６２】
図６に示されるように、周壁１０４の正面壁１４側の端部は外周形状が周壁１０４の外周形状に対応した正面壁１２６にて閉止されている。図９に示されるように、正面壁１２６の正面壁１４側の面からはシャフト１２８が突出形成されている。シャフト１２８は上述した周壁１０４の上壁１１８を構成する湾曲部１２０の曲率中心に対して同軸的に突出形成されており、正面壁１４の背面壁２０側の面に形成された有底の円孔１３０に回転自在に嵌挿されている。
【００６３】
一方、周壁１０４の背面壁２０側の端部は外周形状が周壁４２の外周形状に対応した背面壁１３２にて閉止されている。この背面壁１３２の背面壁２０側の面からはシャフト１３４が突出形成されている。シャフト１３４は上述したシャフト１２８に対して同軸的に突出形成されており、背面壁２０の正面壁１４側の面に形成された有底の円孔１３６に回転自在に嵌挿されている。これにより、ランプハウス１１２はミラー本体１０２に対してシャフト１２８、１３４周りに所定角度回動自在に支持される。なお、ランプハウス１１２がミラー本体１０２に対して回動しても、周壁１０４の上壁１１８の一端はシャフト１２８、１３４の軸線を中心に湾曲する湾曲部１２０とされ、他端もまた上壁１１８を介して隔壁１０８とは反対側の所定位置を曲率中心として一定の曲率で円弧状に湾曲した湾曲部１２４であるため、隔壁１０８等にランプハウス１１２が干渉することはない。
【００６４】
また、特に図示はしないが、正面壁１４、背面壁２０、及び隔壁１０８の少なくとも何れか１つにはランプハウス１１２に対応して上述した前記第１の実施の形態における保持片７２と同様の構成の保持片が形成されており、ランプハウス１１２が収容部１１０に収容された状態では、保持片がランプハウス１１２を係合支持若しくは弾性支持し、これによって、収容部１１０でのランプハウス１１２の収容状態が維持される。
【００６５】
さらに、図７及び図８に示されるように、ランプハウス１１２の内側には電球５８が配置されており、ソケット６０に接続されたリード線６２が鉤状板部１２２に形成された透孔１３８を貫通してランプハウス１１２の外部に延び、更に、隔壁１０８に形成された透孔１４０を貫通してミラー本体１０２の内部で引き回され、スイッチ６８へ接続されている。
【００６６】
また、図６に示されるように、正面壁１２６には開口部４８が形成されており、更に、窓部５０が嵌め込まれている。一方、下壁１１６には矩形の開口部５２が形成されており、更に、窓部５４が嵌め込まれている。
【００６７】
＜第２の実施の形態の作用、効果＞
次に本実施の形態の作用並びに効果について説明する。
【００６８】
本ルームミラー１００もまた前記第１の実施の形態におけるルームミラー１０と同様に反射鏡１８を用いて略車両後方側の確認ができるのみならず、スイッチ６８を操作して電球５８に給電して電球５８を点灯させることにより所謂マップランプとして使用することができる。
【００６９】
すなわち、本ルームミラー１００は、通常、ランプハウス１１２が収容部１１０に収容されている（図７図示状態）。この状態でスイッチ６８を操作して電球５８を点灯させると、電球５８から発せられた光は開口部５２の窓部５４を透過して本実施の形態における初期照明方向である略車両下方側を照らす。この状態では、所謂マップランプと同様に使用することが可能である。
【００７０】
ここで、この状態でも電球５８から発せられた光は開口部５２の窓部５４を透過するが、開口部４８を介して電球５８とは反対側にはミラー本体１０２の正面壁１４が位置しているため、基本的には光がミラー本体１０２の外部に漏れることはない。したがって、この状態では基本的にランプハウス１１２の略車両下方側のみを電球５８の光で照らすことができる。
【００７１】
一方、例えば、ランプハウス１１２の略車両下方側へ引き出すと、ランプハウス１１２がミラー本体１０２に対してシャフト１２８、１３４周りに図７の矢印Ａ方向へ回動する。下壁１１６が隔壁１０８に干渉するまで（本実施の形態では概ね９０度）ランプハウス１１２を回動させると、ランプハウス１１２の正面壁１２６が収容部１１０の外側に露出し、正面壁１２６に形成された開口部４８並びに窓部５０が収容部１１０の外側に露出する。この状態でスイッチ６８を操作して電球５８を点灯させると電球５８で発せられた光が窓部５４のみならず窓部５０を透過する。窓部５０が嵌め込まれた開口部４８と窓部５４が嵌め込まれた開口部５２とではその開口（貫通）方向が異なるため、窓部５０を透過した光は略車両後方側を照らすことができる。
【００７２】
さらに、上述したように、ミラー本体１０２はルーフパネルやフロントガラスの窓枠に対して回動可能であり、反射鏡１８の反射面の向きを適宜に変更できる。したがって、このミラー本体１０２に取り付けられたランプハウス１１２の向きもミラー本体１０２を回動させることで適宜に変更でき、これに応じて窓部５０を透過する光の向きもミラー本体１０２を回動させることで適宜に変更できる。これにより、ミラー本体１０２を適宜に回動させることで所望の方向を照らすことも可能となり、電球５８にて発せられた光の用途を拡大できる（すなわち、利便性が向上する）。
【００７３】
＜第３の実施の形態の構成＞
次に、本発明の第３の実施の形態について説明する
図１０には本実施の形態に係るルームミラー１６０（室内灯）の外観の斜視図が示されており、図１１には後述する照明手段を構成するランプハウス１７０を引き出した状態での斜視図が示されている。これらの図に示されるように、ルームミラー１６０はミラー本体１６２（ハウジング）を備えている。
【００７４】
ミラー本体１６２は正面壁１４並びに背面壁２０を備えており、この正面壁１４と背面壁２０との間には筒状の周壁１６４が設けられている。周壁１６４の一方の開口端が正面壁１４により閉止され他方の開口端が背面壁２０により閉止されている。
【００７５】
また、周壁１６４の下側部分には略車両上下方向に貫通した略矩形の開口部１６５が形成されており、更に、図１２及び図１３に示されるように、ミラー本体１６２の内側には収容部１６６が設けられている。収容部１６６は略車両下方側の端部が開口した略箱形状とされている。
【００７６】
この収容部１６６は開口端が開口部１６５に対応しており、開口部１６５の外側で周壁１６４の内周面に一体に接続されている。収容部１６６の開口端は長手寸法及び幅寸法が開口部１６５長手寸法及び幅寸法以上とされ、しかも、少なくとも開口端での長手寸法及び幅寸法の少なくとも何れか一方は開口部１６５長手寸法及び幅寸法よりも充分に大きい。したがって、開口部１６５の長手方向端部及び幅方向端部の少なくとも何れか一方は収容部１６６の周壁よりも内側に位置している。この周壁１６４の開口部１６５の近傍部分で収容部１６６の周壁よりも内側に位置した部分はストッパ１６８とされており、後述するランプハウス１７０の抜け止めとなっている。
【００７７】
この収容部１６６の内側にはランプハウス１７０が収容される。ランプハウス１７０は反射鏡１８の反射面方向へ向けて開口した略箱形状とされており、その内側には一対の仕切壁１７２が正面壁１４及び背面壁２０の長手方向に対向するように設けられ、これらの仕切壁１７２によってランプハウス１７０の内側が正面壁１４及び背面壁２０の長手方向に三分割されている。
【００７８】
仕切壁１７２により三分割されたランプハウス１７０の内部空間のうち、両端は電球収納部１７４とされており、電球収納部１７４の間は小物入れ１７６とされている。また、このランプハウス１７０の開口端のうち、各電球収納部１７４に対応した部分は正面壁１７８により閉止されている。各正面壁１７８には開口部４８が形成されており、窓部５０が嵌め込まれ、ランプハウス１７０を構成する下壁１８０のうち、各電球収納部１７４に対応した部分には開口部５２が形成され窓部５４が嵌め込まれている。さらに、各仕切壁１７２には略矩形の開口部１８２が形成されており、窓部５０、５４と同様の構成の窓部１８４が嵌め込まれている。
【００７９】
一方、ランプハウス１７０を構成する上壁１８６には板状の永久磁石１８８が一体的に嵌め込まれており、この永久磁石１８８に対応して収容部１６６の上壁１９０には鉄等の強磁性体で形成された磁性板１９２が一体的に嵌め込まれている。この永久磁石１８８は収容部１６６内にランプハウス１７０が収容された状態で磁性板１９２をその磁力で吸引し、これにより、収容部１６６にランプハウス１７０が収容された状態で保持する構成である。
【００８０】
なお、本実施の形態では、収容部１６６の上壁１９０にランプハウス１７０の上壁１８６に永久磁石１８８を設け、収容部１６６の上壁１９０に磁性板１９２を設けた構成であったが、ランプハウス１７０の上壁１８６には磁性板１９２を設け、収容部１６６の上壁１９０に永久磁石１８８を設けてもよく、また、ランプハウス１７０の上壁１８６と収容部１６６の上壁１９０の双方に互いに吸引する用に磁極の向きを設定した永久磁石を設けてもよい。
【００８１】
ここで、この永久磁石１８８及び磁性板１９２はランプハウス１７０を保持するという観点では前記第１の実施の形態に係る保持片７２と同じである。なお、前記第１、第２、及び本第３の実施の形態においてミラー本体１２、１０２、１６２にランプハウス３６、１１２、１７０を保持するための保持手段は、機械的に係合保持し又は弾性保持する保持片７２を適用してもよいし、永久磁石１８８と磁性板１９２のような磁力により保持する構成でもよい。
【００８２】
また、上述した電球収納部１７４の内部には電球５８が収納されており、ソケット６０を介してリード線６２の一端に接続されている。リード線６２の他端側はランプハウス１７０の上壁１８６に形成された透孔１９４を貫通してランプハウス１７０の外部へ引き出され、更に収容部１６６の上壁１９０に形成された透孔１９６を貫通してミラー本体１６２の内側へ引き回されている。
【００８３】
さらに、リード線６２の他端部は開口部１６５の側方に設けられたスイッチ６８に機械的且つ電気的に接続されており、スイッチ６８に接続されたリード線１９８等を介して車両のバッテリー等へ電気的に接続されている。
【００８４】
一方、図１２に示されるように、ランプハウス１７０の下壁１８０の外周形状は開口部１６５の内周形状に対応しており、収容部１６６にランプハウス１７０が収容された状態では下壁１８０が開口部１６５を閉止する。これに対して、ランプハウス１７０の上壁１８６の外周形状は収容部１６６の内周形状と略同じ（厳密には僅かに小さい）で開口部１６５の内周形状よりも大きく、上壁１８６の側壁２００よりも外側に延出された部分は略車両上下方向に沿って上述したストッパ７８と対向し、図１３に示されるように、ミラー本体１６２に対してランプハウス１７０が略車両下方へ所定量スライドすると、上壁１８６の側壁２００よりも外側に延出された部分がストッパ７８と係合してストッパ７８によってランプハウス１７０の下降（スライド）が制限される。これにより、ミラー本体１６２からのランプハウス１７０の抜け落ち等を防止できるようになっている。
【００８５】
＜第３の実施の形態の作用、効果＞
次に本実施の形態の作用並びに効果について説明する。
【００８６】
本ルームミラー１６０もまた前記第１の実施の形態におけるルームミラー１０と同様に反射鏡１８を用いて略車両後方側の確認ができるのみならず、スイッチ６８を操作して電球５８に給電して電球５８を点灯させることにより所謂マップランプとして使用することができる。
【００８７】
すなわち、本ルームミラー１６０は、通常、ランプハウス１７０が収容部１６６に収容されている（図１０及び図１２図示状態）。この状態でスイッチ６８を操作して電球５８を点灯させると、電球５８から発せられた光は開口部５２の窓部５４を透過して本実施の形態における初期照明方向である略車両下方側を照らす。この状態では、所謂マップランプと同様に使用することが可能である。
【００８８】
ここで、この状態でも電球５８から発せられた光は開口部５２の窓部５４を透過するが、開口部４８を介して電球５８とは反対側にはミラー本体１６２の正面壁１４が位置しているため、基本的には光がミラー本体１６２の外部に漏れることはない。したがって、この状態では基本的にランプハウス１７０の略車両下方側のみを電球５８の光で照らすことができる。
【００８９】
一方、例えば、永久磁石１８８が磁性板１９２を吸引する吸引力（磁力）に抗して上壁１８６がストッパ７８に係合するまでランプハウス１７０を略車両下方側へ引き出すと、ランプハウス１７０の略全体（厳密には上壁１８６とその近傍部分を除いた部分）が収容部１６６の外側に露出し、正面壁１７８に形成された開口部４８並びに窓部５０が収容部１６６の外側に露出する。この状態でスイッチ６８を操作して電球５８を点灯させると電球５８で発せられた光が窓部５４のみならず窓部５０を透過する。窓部５０が嵌め込まれた開口部４８と窓部５４が嵌め込まれた開口部５２とではその開口（貫通）方向が異なるため、窓部５０を透過した光は略車両後方側を照らすことができる。
【００９０】
さらに、上述したように、ミラー本体１６２はルーフパネルやフロントガラスの窓枠に対して回動可能であり、反射鏡１８の反射面の向きを適宜に変更できる。したがって、このミラー本体１６２に取り付けられたランプハウス１７０の向きもミラー本体１６２を回動させることで適宜に変更でき、これに応じて窓部５０を透過する光の向きもミラー本体１６２を回動させることで適宜に変更できる。これにより、ミラー本体１６２を適宜に回動させることで所望の方向を照らすことも可能となり、電球５８にて発せられた光の用途を拡大できる（すなわち、利便性が向上する）。
【００９１】
また、上述したように、ランプハウス１７０の電球収納部１７４の間は小物入れ１７６となっており、ランプハウス１７０が下方へ引き出された状態では、その開口端がミラー本体１６２の外部に露出する。この状態では小物入れ１７６の内部に小銭や有料道路の通行票等の小物を収納でき、また、この小物入れ１７６に収納した小物を取り出すことができる。これにより、車両室内に別途小物入れを取り付ける必要がなく、車両室内のスペースを有効活用できる。
【００９２】
しかも、ランプハウス１７０を収容部１６６内に収容することで小物入れ１７６の開口端（すなわち、ランプハウス１７０の開口端）は正面壁１４により閉止され、これにより、小物入れ１７６が閉空間となるため、小物入れ１７６に収納した小物が小物入れ１７６から抜け落ちることがなく、確実に小物を保管できる。
【００９３】
さらに、上述したように、各仕切壁１７２には開口部１８２が形成されており窓部５０、５４と同様の窓部１８４が嵌め込まれているため、電球５８を点灯させれば電球５８の光は窓部１８４を透過して小物入れ１７６の内部も照らす。このため、小物入れ１７６の内部の確認が容易になる。
【００９４】
＜第４の実施の形態の構成＞
次に、本発明の第４の実施の形態について説明する
図１４には本実施の形態に係るルームミラー２１０（室内灯）の外観の斜視図が示されている。この図に示されるように、ルームミラー２１０はミラー本体２１２（ハウジング）を備えている。
【００９５】
ミラー本体２１２は正面壁１４並びに背面壁２０を備えており、この正面壁１４と背面壁２０との間には筒状の周壁２１４が設けられている。周壁２１４の一方の開口端が正面壁１４により閉止され他方の開口端が背面壁２０により閉止されている。
【００９６】
また、図１４乃至図１６に示されるように、正面壁１４及び背面壁２０の長手方向両端部に対応して周壁２１４には正面壁１４及び背面壁２０の長手方向に貫通した開口部２１６が形成されている（なお、図１４乃至図１６では一方の開口部２１６のみを図示）。これらの開口部２１６はミラー本体２１２の長手方向に沿ってみた場合に略矩形とされている。
【００９７】
また、図１５及び図１６に示されるように、ミラー本体２１２の内側には概ね正面壁１４及び背面壁２０に対して平行な中壁２１８が形成されていると共に、この中壁２１８の長手方向中央部には仕切壁２２０が形成されている。これらの中壁２１８及び仕切壁２２０によってミラー本体２１２の内部空間が仕切られており、上述した周壁２１４と連通した空間が収容部２２２とされている。
【００９８】
この収容部２２２の内側で且つ周壁２１４の近傍部分にはブロック状のストッパ２２４が形成されており、このストッパ２２４は形成されている部分では収容部２２２の開口幅が小さい。
【００９９】
この収容部２２２の内側には照明手段を構成するランプハウス２２６が設けられている。このランプハウス２２６はミラー本体２１２の長手方向中央部側の端部が開口し且つ上述したストッパ２２４が形成された部分での収容部２２２の内周形状に対応した略箱形状とされており、ストッパ２２４に支持されつつ周壁２１４を介して収容部２２２の内外にスライド可能とされている。
【０１００】
このランプハウス２２６の開口端にはフランジ部２２８が形成されている。このフランジ部２２８は外周形状がストッパ７６以外での収容部２２２の内周形状に対応しており、ランプハウス２２６が周壁２１４を介してミラー本体２１２の外側へ向けて所定量スライドすると、図１６に示されるように上述したストッパ２２４にフランジ部２２８が当接する。これによって収容部２２２からのランプハウス２２６の不用意な脱落が防止できるようになっている。また、ランプハウス２２６の底部は周壁２１４が形成された部分での周壁１６４の外周形状に沿った形状とされている。
【０１０１】
また、図１４に示されるように、ランプハウス２２６を構成する壁部のうち、ランプハウス２２６を収容部２２２に収容した状態で正面壁１４と直接対向する正面壁２３０には開口部４８が形成されており窓部５０が嵌め込まれている。一方、図１４乃至図１６に示されるように、ランプハウス２２６を構成する壁部のうち、相対的に下方に位置する下壁２３２には開口部５２が形成されており窓部５４が嵌め込まれている。さらに、このランプハウス２２６の内部には電球５８が設けられており、ソケット６０を介してリード線６２の一端に接続されている。リード線６２の他端側は仕切壁２２０を貫通してランプハウス２２６の内側へ引き回されてスイッチ６８に機械的且つ電気的に接続され、更に、スイッチ６８に接続された図示しないリード線等を介して車両のバッテリー等へ電気的に接続されている。
【０１０２】
一方、図１４乃至図１６に示されるように、周壁１０４のうち、ランプハウス２２６が収容部２２２に収容された状態でランプハウス２２６の下壁２３２と対向する部分には開口部２３４が形成されており、窓部５０、５４と同様の透過部としての窓部２３６が嵌め込まれている。
【０１０３】
＜第４の実施の形態の作用、効果＞
次に本実施の形態の作用並びに効果について説明する。
【０１０４】
本ルームミラー２１０もまた前記第１の実施の形態におけるルームミラー１０と同様に反射鏡１８を用いて略車両後方側の確認ができるのみならず、スイッチ６８を操作して電球５８に給電して電球５８を点灯させることにより所謂マップランプとして使用することができる。
【０１０５】
すなわち、本ルームミラー２１０は、通常、ランプハウス２２６が収容部２２２に収容されている（図１５図示状態）。この状態でスイッチ６８を操作して電球５８を点灯させると、電球５８から発せられた光は開口部５２の窓部５４を透過して本実施の形態における初期照明方向である略車両下方側を照らす。この状態では、所謂マップランプと同様に使用することが可能である。
【０１０６】
ここで、この状態でも電球５８から発せられた光は開口部５２の窓部５４並びに開口部２３４の窓部２３６を透過するが、開口部４８を介して電球５８とは反対側にはミラー本体２１２の正面壁１４が位置しているため、基本的には光がミラー本体２１２の外部に漏れることはない。したがって、この状態では基本的にランプハウス２２６の略車両下方側のみを電球５８の光で照らすことができる。
【０１０７】
一方、周壁２１４を介してランプハウス２２６を収容部２２２から引き出すと、ランプハウス２２６の略全体が収容部２２２の外側に露出し、正面壁２３０に形成された開口部４８並びに窓部５０が収容部２２２の外側に露出する。この状態でスイッチ６８を操作して電球５８を点灯させると電球５８で発せられた光が窓部５４のみならず窓部５０を透過する。窓部５０が嵌め込まれた開口部４８と窓部５４が嵌め込まれた開口部５２とではその開口（貫通）方向が異なるため、窓部５０を透過した光は略車両後方側を照らすことができる。
【０１０８】
さらに、上述したように、ミラー本体２１２はルーフパネルやフロントガラスの窓枠に対して回動可能であり、反射鏡１８の反射面の向きを適宜に変更できる。したがって、このミラー本体２１２に取り付けられたランプハウス２２６の向きもミラー本体２１２を回動させることで適宜に変更でき、これに応じて窓部５０を透過する光の向きもミラー本体２１２を回動させることで適宜に変更できる。これにより、ミラー本体２１２を適宜に回動させることで所望の方向を照らすことも可能となり、電球５８にて発せられた光の用途を拡大できる（すなわち、利便性が向上する）。
【０１０９】
なお、上記の各実施の形態は本発明をルームミラー１０〜２１０に適用した構成であったが、請求項５記載の本発明の観点からすれば、上記の各実施の形態において、例えば、ミラー本体１２〜２１２に反射鏡１８を設けずに単なるケース（ハウジング）としてマップランプ等のルームランプに適用することも可能である（換言すれば、請求項５記載の本発明の観点からすれば、反射鏡１８はなくてもよい）。
【０１１０】
【発明の効果】
以上説明したように、本発明によれば、車両下方等の初期照明方向以外の方向への照明が可能で利便性を向上することができる。
【図面の簡単な説明】
【図１】本発明の第１の実施の形態に係るルームミラーの外観を示す斜視図である。
【図２】本発明の第１の実施の形態に係るルームミラーのランプハウス収納状態での正面断面図である。
【図３】ランプハウス引出状態での図２に対応した正面断面図である。
【図４】本発明の第１の実施の形態に係るルームミラーのランプハウス収納状態での側面断面図である。
【図５】ランプハウス引出状態での図４に対応した側面断面図である。
【図６】本発明の第２の実施の形態に係るルームミラーの外観を示す斜視図である。
【図７】本発明の第２の実施の形態に係るルームミラーのランプハウス収納状態での正面断面図である。
【図８】ランプハウス引出状態での図７に対応した正面断面図である。
【図９】本発明の第２の実施の形態に係るルームミラーのランプハウス収納状態での側面断面図である。
【図１０】本発明の第３の実施の形態に係るルームミラーの外観を示す斜視図で、ランプハウス収納状態での図である。
【図１１】ランプハウス引出状態での図１０に対応した斜視図である。
【図１２】本発明の第３の実施の形態に係るルームミラーのランプハウス収納状態での正面断面図である。
【図１３】ランプハウス引出状態での図１２に対応した正面断面図である。
【図１４】本発明の第４の実施の形態に係るルームミラーの外観を示す斜視図である。
【図１５】本発明の第４の実施の形態に係るルームミラーのランプハウス収納状態での正面断面図である。
【図１６】ランプハウス引出状態での図１５に対応した正面断面図である。
【符号の説明】
１０    ルームミラー（室内灯）
１２    ミラー本体（ハウジング）
１８    反射鏡
３６    ランプハウス（照明手段）
４８    開口部（第２開口部）
５２    開口部（第１開口部）
５８    電球（光源、照明手段）
１００    ルームミラー（室内灯）
１０２    ミラー本体（ハウジング）
１１２    ランプハウス（照明手段）
１６０    ルームミラー（室内灯）
１６２    ミラー本体（ハウジング）
１７０    ランプハウス（照明手段）
２１０    ルームミラー（室内灯）
２１２    ミラー本体（ハウジング）
２２６    ランプハウス（照明手段）
２３６    窓部（透過部）
【図１】
0004308415.tif 000002
【図２】
0004308415.tif 000003
【図３】
0004308415.tif 000004
【図４】
0004308415.tif 000005
【図５】
0004308415.tif 000006
【図６】
0004308415.tif 000007
【図７】
0004308415.tif 000008
【図８】
0004308415.tif 000009
【図９】
0004308415.tif 000010
【図１０】
0004308415.tif 000011
【図１１】
0004308415.tif 000012
【図１２】
0004308415.tif 000013
【図１３】
0004308415.tif 000014
【図１４】
0004308415.tif 000015
【図１５】
0004308415.tif 000016
【図１６】
0004308415.tif 000017